(57)【要約】フレグランス発生装置（２０）は、ケース内部および内部にあるフレグランス排出口（３６Ａ、３６Ｂ）、ケース（２２）内部にある電力が供給されると熱を発生する発熱体（４２）、ケース（２２）で構成され、ＵＳＢコネクタ（２８）がＵＳＢポートに接続、発熱体（４２）に電力が供給されると、ＵＳＢコネクタ（２８）、ケース（２２）内のフレグランス・メンバ（５０）に熱が加えられ、フレグランス、芳香あるいはアロマを放出する。フレグランス・メンバ（５０）は発熱体（４２）と隣接しており、発熱体（４２）が発した熱により、ケース（２２）内部にあるフレグランス・メンバ（５０）が排出口（３６Ａ、３６Ｂ）からフレグランス、芳香あるいはアロマを放出する。本発明に係わるその他実施例を本文中で開示する。
2009537287.tif 000002
【特許請求の範囲】
【請求項１】
ＵＳＢフラッシュメモリ・ドライブは、以下から成る：
内部および内部と連絡した排出口があるハウジング；
ハウジング内部およびハウジングに接続された電子サポート・メンバ；
電子サポート・メンバに取り付けられた電子部品、ＵＳＢフラッシュメモリ・ドライブが使用されると熱を発生する電子部品；
電子サポート・メンバと結合し、ハウジングから伸びているＵＳＢコネクタ；
ハウジング内にありハウジングと接続された固定デバイス、このデバイスはデバイスに熱が加えられるとフレグランス、芳香あるいはアロマを放出する物質を含む；そして
その中ではデバイスが電子部品の近くにあり、電子部品が発した熱によりデバイスがフレグランス、芳香あるいはアロマを放出し、このようなフレグランス、芳香あるいはアロマは排出口を通じてハウジングの内部から外へ出て行く。
【請求項２】
ＵＳＢポートに接続するためのフレグランス発生装置は、以下から成る：
内部および内部と連絡するフレグランス排出口のあるケース；
ケース内にあり電力が供給されると熱を発生する発熱体；
ケースに接続されており、ＵＳＢコネクタがＵＳＢポートに接続されたときに発熱体に電力を供給するために発熱体に電気的に接続されているＵＳＢコネクタ；
ケース内にあり、フレグランス・メンバに熱が加えられると、フレグランス、芳香あるいはアロマを放出する固定フレグランス・メンバ、フレグランス・メンバは発熱体の近くにあり、発熱体が発した熱によりフレグランス・メンバはフレグランス、芳香あるいはアロマを放出し、それが排出口を通じてケースの内部から外へ出て行く。
【請求項３】
請求項２によるフレグランス発生装置で、ケースに上部と下部があり、フレグランス排出口が上部にあってフレグランス・メンバと一直線に並んでいるもの。
【請求項４】
請求項３によるフレグランス発生装置で、上部には一般にフレグランス・メンバと隣接している凹形状のカバー部分があり、フレグランス排出口が一般に凹形状のカバー部分の中央部分に位置し、凹形状のカバー部分によりフレグランス・メンバの補充をするフレグランス発生物質のフレグランス排出口への挿入が容易になるもの。
【請求項５】
請求項３によるフレグランス発生装置で、ケースの下部に換気口があり、それにより空気がケースの内部に流入できるもの。
【請求項６】
請求項２によるフレグランス発生装置で、フレグランス発生装置がＵＳＢフラッシュメモリ・ドライブの形と実質的に同じ形状をしているもの。
【請求項７】
請求項２によるフレグランス発生装置で、さらに保護用タブを含み、その第一の部分がケースの外部にあり、第二の部分がケース内にあってフレグランス・メンバとフレグランス排出口の間に位置しており、保護用メンバは取り外し可能で、ユーザーが第一の部分を引き抜き、第二の部分をフレグランス・メンバとフレグランス排出口の間から取り外すことができるもの。
【請求項８】
ＵＳＢポートに接続するためのフレグランス発生装置は、以下から成る：
第一の端部と反対側の第二の端部と内部および内部と連絡している第二の端部内のスロットがあるケースで、内部と連絡している排出口を含むケース；
ケース内部に取り外し可能な形で配置される第一の部分とスロットから伸びている第二の部分から成るカートリッジで、そのカートリッジには第一の部分に取り付けられたフレグランス・メンバがあり、そのフレグランス・メンバは熱を加えるとフレグランス、芳香あるいはアロマを放出する；
ケースの第二の端部に接続しているＵＳＢコネクタ、このＵＳＢコネクタには導電性のプリント基板部分がある；
ケースの内部に位置しており、導電性のプリント基板部分に電気的に接続されている発熱体、この発熱体はフレグランス・メンバに隣接した位置にあり、この発熱体は電力が供給されると熱を発生する；
そこでは発熱体が発した熱により、ケースの内部にあるフレグランス・メンバがフレグランス、芳香あるいはアロマを放出し、それが、ケースの排出口を通してケース内部から出て行く；そして
ケースにスライド可能な形で取り付けられており、開口部が付いている排出口カバー、この排出口カバーは、排出口カバーがＵＳＢコネクタを覆って排出口カバーの開口部がケースの排出口と一直線に並ばない「閉」ポジションと、ＵＳＢコネクタが露出して排出口カバーの開口部がケースの排出口と一直線に並ぶ「開」ポジションの間でスライドすることができる。
【請求項９】
請求項８によるフレグランス発生装置で、ケースが上部と下部から成り、排出口カバーがスライド可能な形で上部に取り付けられているもの。
【請求項１０】
請求項８によるフレグランス発生装置で、ケースのスロットが、カートリッジの第二の部分とカートリッジがスロットから落ちないようにするためにスロット周辺に伸びているケースの一部との間にわずかな摩擦が生ずるようなサイズになっているもの。
【請求項１１】
請求項９によるフレグランス発生装置で、ケース内の排出口がケースの上部に位置しているもの。
【請求項１２】
請求項９によるフレグランス発生装置で、ケースの下部に換気口があり、それにより気流がケースの内部に流れ込めるもの。
【請求項１３】
請求項８によるフレグランス発生装置で、カバーを開閉ポジションの間でスライドするときに、ユーザーの指と摩擦が生ずるように、排出口カバーに小さな突起で覆われた部分があるもの。
【請求項１４】
請求項８によるフレグランス発生装置で、カートリッジの第二の部分が、その第二の部分にチェーンまたはストラップを固定する手段を含むもの。
【請求項１５】
請求項８によるフレグランス発生装置で、フレグランス発生装置がフラッシュ・ドライブの形をしているもの。
【請求項１６】
ＵＳＢポートに接続するためのフレグランス発生装置は、以下から成る：
ケース上部およびケース下部のあるケースで、このケース上部には排出口があり、ケース下部には内部があるもの。上部には凹部と内部と連絡する主要開口部と内部と連絡する排出口がある。このケース上部は回転可能な形でケース下部に取り付けられており、ケース下部の上部が完全に露出する「開」ポジションとケース上部がケース下部の上部を完全に覆ってケース上部の排出口がケース下部の排出口と一直線に並ぶ「閉」ポジションの間で回転が可能である；
ＵＳＢコネクタは、ケース下部に旋回可能な形で取り付けられており、旋回することにより、凹部内でＵＳＢコネクタがケースから伸びる第一ポジションおよびＵＳＢコネクタが完全に凹部内に入ってケース下部の上部にある排出口を覆う第二ポジションにすることができる。ＵＳＢコネクタは導電性ピボット・ピンの周囲で旋回可能で、導電性ピボット・ピンに電気的に接続されている回路部分がある；
ここでＵＳＢコネクタが第二ポジションにあり、ケース上部が「閉」ポジションにある場合は、ケース上部がＵＳＢコネクタを覆う；
ケース下部の内部に取り外し可能な形で位置づけられているカートリッジ。このカートリッジはフレーム・メンバとフレーム・メンバに取り付けられているフレグランス・メンバを含み、フレーム・メンバは主要開口部からアクセス可能で、フレグランス・メンバはケース下部の排出口を通して見ることができる、フレグランス・メンバは熱が加えられるとフレグランス、芳香あるいはアロマを放出する；
ケース下部の内部に位置しており、導電性ピボット・ピンに電気的に接続されている発熱体。この発熱体はフレグランス・メンバに隣接する位置にあり、電力が供給されると熱を発生する；そして
発熱体が発した熱により、フレグランス・メンバがフレグランス、芳香あるいはアロマを放出し、それがケース下部の上部にある排出口を通してケース内部から出て行く。
【請求項１７】
請求項１６によるフレグランス発生装置で、さらに発熱体と導電性ピボット・ピンの間を接続する導電性メンバを含むもの。
【請求項１８】
請求項１６によるフレグランス発生装置で、ケース上部の排出口が複数の異なる形の貫通穴からなるもの。
【請求項１９】
請求項１８によるフレグランス発生装置で、ケース下部に下部があり、フレグランス発生装置にさらにケース下部の下部に第二の換気口があり、その第二の換気口がケース下部の内部と連絡しているもの。
【請求項２０】
請求項１６によるフレグランス発生装置で、フレグランス発生装置が、全体的に宝飾品に似た形状をしているもの。
【請求項２１】
ＵＳＢポートに接続するためのフレグランス発生装置は、以下から成る：
内部があり、内部と連絡する排出口が少なくとも１個あるケース；
内部にアクセスするためにケースに旋回可能な形で取り付けられているドア；
ケースの内部に取り外し可能な形で配置されているフレグランス・ボトルで、中に希望のフレグランスを発生する液体が入るもの。フレグランス・ボトルはさらにフレグランス・メンバを含み、フレグランス・メンバにはフレグランス・ボトル内の第一の部分とフレグランス・ボトルから伸びる第二の部分があり、フレグランス・メンバはフレグランス・ボトル内に液体を吸収し、熱が加えられると希望のフレグランスを発生するように作られている；
ケースの内部に位置し、フレグランス・メンバの第二の部分に隣接する発熱体。この発熱体は電力が供給されると熱を発生する；
ケースに接続されており、発熱体に電力を供給するために発熱体に電気的に接続されているＵＳＢコネクタ；
そこでは発熱体が発した熱により、フレグランス・メンバがフレグランスを放出し、それがケースの少なくとも１個の排出口を通してケースの内部から出て行く。
【請求項２２】
ケースには上部があり、その上部にドアが旋回可能な形で取り付けられている、請求項２１によるフレグランス発生装置。
【請求項２３】
請求項２１によるフレグランス発生装置で、ドアにストッパ・メンバが付いていて、それがフレグランス・ボトルに接触し、フレグランス・ボトルが動くのを防ぐもの。
【請求項２４】
請求項２１によるフレグランス発生装置で、ドアにドアを「閉」ポジションに固定するための手段としてスプリング・ロックが付いているもの。
【請求項２５】
請求項２１によるフレグランス発生装置で、さらにインジケーターとしての光源がケースに取り付けられており、それがＵＳＢコネクタに電気的に接続されていて、電力が供給されるとインジケーターの光源が光るもの。
【請求項２６】
請求項２１によるフレグランス発生装置で、ケースに上部と下部があり、下部にはドアを開けずにケース内部を見ることができるウインドウとして機能する開口部が付いているもの。
【発明の詳細な説明】
【技術分野】
【０００１】本発明は、概してコンピュータまたは周辺機器のＵＳＢポートに接続して、フレグランス発生装置内の発熱体に電力が供給されると、フレグランスを放出するように作られているフレグランス発生装置。
【背景技術】
【０００２】フレグランスあるいは芳香を発するように作られている電子装置は、技術的には知られている。
″Ｒｅｐｌａｃｅａｂｌｅ  Ｓｃｅｎｔ  Ａｎｄ  Ｍｕｌｔｉｍｅｄｉａ  Ｓｔｏｒａｇｅ  Ｆｏｒ  Ｕｓｅ  Ｗｉｔｈ  Ａ  Ｐｌａｙｂａｃｋ  Ａｐｐａｒａｔｕｓ  Ｈａｖｉｎｇ  Ｅｌｅｃｔｒｏｓｔａｔｉｃ  Ｓｃｅｎｔｓ  Ｒｅｌｅａｓｅ（再生装置で使用する静電芳香放出機能付き香り交換可能なマルチメディア記憶装置）″という題の米国特許出願公開番号ＵＳ２００３／０２０６８３４には、別個のマルチメディア再生システムおよび芳香回復システムで使用するための香り付きマルチメディア・ディスクまたはカートリッジについて記載されている。
″Ｍｏｂｉｌｅ  Ｐｈｏｎｅ  Ａｎｄ  Ｓｃｅｎｔ  Ｄｉｓｐｅｎｓｅｒ  Ｔｈｅｒｅｏｆ（携帯電話およびその芳香ディスペンサー）″という題の米国特許出願公開番号ＵＳ２００４／０２３５４３０には、携帯電話と芳香ディスペンサーについて記載されている。芳香ディスペンサーには、本体と芳香発生装置が含まれる。本体には、タンクと導管が含まれる。タンクは、その中の液体に香りを蓄える。″Ｆｒａｇｒａｎｃｅ  Ｇｅｎｅｒａｔｉｏｎ  Ｄｅｖｉｃｅ（フレグランス発生装置）″という題の米国特許出願公開番号ＵＳ２００５／００１３７２８には、コンピュータ、ＰＤＡあるいは電気器具のような情報製品用のフレグランス発生装置について記載されている。【０００３】″Ｃｏｍｍｕｎｉｃａｔｉｏｎ  Ｄｅｖｉｃｅ  Ｈａｖｉｎｇ  Ａ  Ｓｃｅｎｔ  Ｒｅｌｅａｓｅ  Ｆｅａｔｕｒｅ  Ａｎｄ  Ｍｅｔｈｏｄ  Ｔｈｅｒｅｏｆ（芳香放出機能およびその方法を備えた通信機器）″という題の米国特許番号７，２００，３６３には、熱エネルギーを発生する熱発生装置を含む携帯電話のような通信機器について記載されている。熱発生装置により活性化する芳香物質を含む芳香パッケージは、熱が伝わりやすい熱発生装置の近くにある。″Ｐｏｒｔａｂｌｅ  Ｓｃｅｎｔ  Ｄｅｌｉｖｅｒｙ  Ｄｅｖｉｃｅ（ポータブル芳香放出装置）″という題の米国特許番号７，２０３，４１７には、ハウジングと選択的に香りを放出する芳香発生装置を使用するポータブル芳香放出装置について記載されている。このハウジングは、ヘッドセット、帽子、ショルダー・ハーネスあるいは携帯電話のようなパーソナル電子機器に適している。【０００４】米国特許番号６，６０９，９３５（″’９３５ｐａｔｅｎｔ（’９３５特許）″）は、ＵＳＢ  Ｅｌｅｃｔｒｉｃ  Ｆｒａｇｒａｎｔ  Ｅｍｉｔｔｉｎｇ  Ｐｅｎｄａｎｔ  Ｊｏｉｎｔ（ＵＳＢ電気フレグランス放出ペンダント・ジョイント）を公開している。しかし、’９３５特許で示されている装置のデザインは複雑である。具体的にいうと、この装置は、端部がボール形になっている回転式フレグランス・ロッドを使用している。このボール形をした端部は、装置の外側にある。この回転式フレグランス・ロッドは、既定の角度、おそらくユーザーにより事前に設定された角度に回転する。
【発明の開示】
【発明が解決しようとする課題】
【０００５】本発明により、コンピュータ、コンピュータ周辺機器、あるいはＵＳＢポートを用いるその他の機器をＵＳＢポートに差し込んで接続することができるフレグランス発生装置の改良が可能となる。【０００６】本発明実施例に従って、フレグランス発生ＵＳＢペンダント・デバイスが開発されている。フレグランス発生ＵＳＢペンダント・デバイスを構成するのは、内部および内部と連絡するフレグランス排出口のあるケース、ケース内にあり電力が供給されると熱を発生する発熱体、熱を加えられるとフレグランス、芳香あるいはアロマを発生するフレグランス・メンバ、発熱体が発した熱によりフレグランス・メンバにフレグランス、芳香あるいはアロマを発生させ、フレグランス排出口を通してケース内部から放出させるために発熱体近くにフレグランス・メンバを配置するものである。ケースには上部と下部がある。フレグランス排出口は上部にある。フレグランス排出口は、フレグランス・メンバと並んでいる。換気口はケースの下部にあり、ここからケースの内部に気流が流入できる。ケースの上部には一般に凹形状のカバー部分があり、これはフレグランス・メンバの隣に位置している。フレグランス排出口は、一般に凹形状のカバー部分の中央に位置している。凹形状のカバー部分の凹形状は、フレグランス・メンバにフレグランス発生物質を補充するために、フレグランス排出口へのフレグランス発生物質の挿入を容易にする。【０００７】別の実施例では、本発明のフレグランス発生装置は、ＵＳＢフラッシュメモリ・ドライブが使用されているときにフレグランス、芳香あるいはアロマを放出するＵＳＢフラッシュメモリ・ドライブで構成される。ある実施例では、ＵＳＢフラッシュメモリ・ドライブは、排出口のあるハウジング、ＵＳＢフラッシュメモリ・ドライブが使用されているときに熱を発生するハウジング内の電子部品、デバイスに熱が供給されるとフレグランス、芳香またはアロマを発生する物質を含むデバイス、電子部品が供給した熱によりデバイスにフレグランス、芳香あるいはアロマを放出させるための電子部品の近くにデバイスを配置する手段から成る。フレグランス、芳香あるいはアロマは、排出口を通ってハウジングの内部から出て行く。【０００８】本発明の他の実施例は、この中で開示され、説明される。本発明のその他の目的および利点は、次の明細書および添付の図面から明らかになる。
【発明を実施するための最良の形態】
【０００９】図１〜４には、本発明の一つの実施例に従ったフレグランス発生装置が示されている。この実施例では、フレグランス発生装置は、フレグランス発生ＵＳＢペンダント・デバイス２０として作られている。簡潔に言うために、フレグランス発生ＵＳＢペンダント・デバイス２０は、ここでは″ＵＳＢペンダント・デバイス２０″と呼ぶ。ＵＳＢペンダント・デバイス２０は、一般にケースまたは上部２４と下部２６があるハウジング２２から成る。ＵＳＢペンダント・デバイス２０は、さらにコンピュータまたは周辺機器のＵＳＢポート（図示せず）にプラグで接続するかあるいは差し込むように作られているＵＳＢコネクタ２８から成る。【００１０】図１および４では、ケース２２には、開口部３２を明示する突出部３０が含まれる。ＵＳＢペンダント・デバイス２０をユーザーの首にかけられるように、開口部３２にキー・リング・チェーン、紐、ストラップあるいはワイヤが差し込めるようになっている。ケース２２の上部２４には、フレグランスが放出されるフレグランス排出口３６Ａおよび３６Ｂのあるセクション３４が含まれる。フレグランス排出口３６Ａは、中央フレグランス排出口である。換気口３８は下部２６にあり、ここから空気がケース２２の内部に入ることができる（図８を参照）。【００１１】図５、６および８では、ＵＳＢペンダント・デバイス２０には、ケース２２の下部２６に付属しているポスト３９およびサポート・ベース４０が含まれる。ポスト３９の用途は、次の明細で論じる。サポート・ベース４０には内部部分があり、その中に発熱体４２が位置している。発熱体４２は電力が供給されると熱を発生する。発熱体４２は、電力を供給されると熱を発生するものであれば、ほとんどどんなタイプの電気装置でも可能である。この例では、発熱体４２は、ＵＳＢコネクタ２８に電気的に接続される導電体４４のあるレジスタである。ＵＳＢコネクタ２８がコンピュータ（図示せず）またはその他の周辺機器（図示せず）のＵＳＢポート（図示せず）に接続されるか差し込まれると、ＵＳＢコネクタ２８および導電体４４を介して発熱体４２に電力が供給される。【００１２】図５、６および８では、ＵＳＢペンダント・デバイス２０は、さらにサポート・ベース４０によって支持されているフレグランス・メンバ５０を含み、フレグランス・メンバ５０は発熱体４２の上に位置している。（フレグランス・メンバ５０は、図１では透視状態で示されている）。フレグランス・メンバ５０は、完全にケース２２の内部に位置する。従って、フレグランス・メンバ５０のいかなる部分もケース２２の外部にはない。フレグランス・メンバ５０は、熱が加えられると、希望のフレグランス、芳香あるいはアロマを放出する。たとえば、ある実施例では、フレグランス・メンバ５０は、熱が加えられると希望のフレグランス、芳香あるいはアロマを放出する液状物質に浸したり、それを染みこませたりした吸収性のあるメンバとして作られている。液状物質の例には、オイルと香水が含まれる。別の実施例では、フレグランス・メンバ５０は、熱が加えられると希望のフレグランス、芳香あるいはアロマを放出する物質でコーティングされたデバイスから成る。別の実施例では、フレグランス・メンバ５０は、熱が加えられると希望のフレグランスを放出する液体を含むカプセルまたは小さなコンテナから成る。フレグランス・メンバ５０は、香水、フルーツ、フラワーなどのどんな種類のフレグランス、アロマあるいは芳香でも放出するように作ることができる。ある実施例では、フレグランス・メンバ５０は、一般に長方形をしている。別の実施例では、フレグランス・メンバ５０は、一般に図１および５に示されるように正方形をしている。さらに別の実施例では、フレグランス・メンバ５０は、一般に丸い平面的な形をしている。【００１３】図１および図３〜８では、ＵＳＢペンダント・デバイス２０は、さらに保護用タブ６０を含む。保護用タブ６０は、最初はＵＳＢペンダント・デバイス２０の内部にある第一の部分６０Ａとケース２２の外部にある第二の部分６０Ｂから成る。第一の部分６０Ａは、フレグランス・メンバ５０と排出口３６Ａおよび３６Ｂの間に位置する。保護用タブ６０には開口部６０Ｃがあり、これはスリット６０Ｄに隣接している。開口部６０Ｃは、ポスト３９を受ける大きさである（図５および８を参照）。保護用タブ６０は、フレグランス・メンバ５０が新鮮であり続け、フレグランス放出効果が低下しないようにする。このようにして、保護用タブ６０は、使用される前のフレグランス・メンバ５０の保管期間を延長する。ＵＳＢペンダント・デバイス２０を初めて使用する前に、ユーザーは図６の矢印７０で示された方向に保護用タブ６０を引き抜く。ポスト３９は、スリット６０Ｄを通って保護用タブ６０内にスライドする。すると、ユーザーは、ＵＳＢコネクタ２８をコンピュータまたは周辺機器のＵＳＢポート（図示せず）に差し込むことができる。ＵＳＢコネクタ２８に電力が供給されるとすぐに、電力が発熱体４２に供給される。電力に反応して、発熱体４２は熱を発生し、それによりフレグランス・メンバ５０がフレグランスを放出する。フレグランスは、排出口３６Ａおよび３６Ｂから排出される。換気口３８により空気がケース２２内に流入し、発熱体４２がオーバーヒートするのを防ぐ。推奨実施例では、発熱体４２は動かないようにサポート・ベース４０に固定されている。【００１４】既定の角度で回転する回転式フレグランス・ロッドを使用している先行技術米国特許番号６，６０９，９３５とは反して、ＵＳＢペンダント・デバイス２０のフレグランス・メンバ５０は回転しない。さらに、フレグランス・メンバ５０は、完全にケース２２の内部に位置している。【００１５】ある実施例では、ＵＳＢペンダント・デバイス２０は、一体型の形をしており、実質的にはＵＳＢフラッシュメモリ・ドライブの形と同じである。【００１６】図９〜図１３には、本発明の別の実施例に従ってフレグランスを放出するＵＳＢペンダント・デバイス１００が示されている。ＵＳＢペンダント・デバイス１００は、一般にケース１０２から成る。ケース１０２は、上部１０４と下部１０６から成る。ＵＳＢペンダント１００は、さらにコンピュータ（図示せず）または周辺機器（図示せず）のＵＳＢポート（図示せず）にプラグで接続される形のＵＳＢコネクタ１０８から成る。上部１０４には、凹形状のカバー部分１１０がある。カバー部分１１０には、その中に作られた複数個のフレグランス排出口１１２と１１３があり、そこではフレグランス排出口１１２が中央排出口で、カバー部分１１０の中央に位置している。【００１７】図９〜１３では、ケース１０２の下部１０６には換気口１１４があり、それにより空気がケース１０２の内部１１６に流入することができる。ケース１０２の上部１０４は、空間１２２を定めるためにカバー部分１１０の下にサポート部分１２０がある。サポート部分１２０には、中に複数個の排出口１２４がある。ＵＳＢペンダント・デバイス１００には、さらにフレグランス・メンバ１３０があり、これは完全に空間１２２内に位置している。カバー部分１１０は、サポート部分１２０に付属している。具体的には、サポート部分１２０には、カバー部分１１０のタブ１３４を受ける開口部１２５がある。【００１８】図１３では、ＵＳＢペンダント・デバイス１００には、さらに内部１１６があり、下部１０６に付属するサポート・メンバ１４０がある。ＵＳＢペンダント・デバイス１００には、サポート・メンバ１４０により支持される発熱体１５０もある。導電体１６０は、ＵＳＢコネクタ１０８および発熱体１５０に接続されている。導電体１６０は、ＵＳＢコネクタ１０８がＵＳＢポート（図示せず）にプラグで接続されると、電力を発熱体１５０に供給する。ＵＳＢコネクタ１０８がコンピュータまたは周辺機器のＵＳＢポートにプラグで接続されると、導電体１６０を通じて電力が発熱体１５０に供給される。それに応じて、発熱体１５０は熱を発生し、その熱は開口部１２４を通ってサポート部分１２０に達する。この熱により、フレグランス・メンバ１３０がフレグランスを放出する。このフレグランスは、排出口１１２および１１３を通して放出される。【００１９】ＵＳＢペンダント・デバイス１００の重要な特徴は、ユーザーが凹形状のカバー部分１１０にフレグランス発生物質を置くことにより、このような物質をフレグランス・メンバ１３０に補充できることである。カバー部分１１０の凹部により、フレグランス発生物質はカバー部分１１０の中央フレグランス排出口１１２に流入し、フレグランス・メンバ１３０の上に落たり、したたり落ちることができる。たとえば、フレグランス発生物質がオイルまたは香水である場合は、ユーザーはオイルの滴をフレグランス排出口１１２に入れることができる。カバー部分１１０の凹部は、余分なオイルがあればそれが中央フレグランス排出口１１２に流れ込むようにする。【００２０】ある実施例では、ＵＳＢペンダント・デバイス１００は、一体型の形状をしており、実質的にはＵＳＢフラッシュメモリ・ドライブの形と同じである。【００２１】次の明細および図１４〜１８は、２００６年５月１５日に提出された先行米国特許申請番号６０／７４７，２２１に基づいている。この国際特許申請書を作成するために、前述の申請番号６０／７４７，２２１で示された参照番号および図の図面番号は、混乱を避けるために、ここで示されたように変更されている。しかし、図１４〜１８および次の明細には前述の米国特許申請番号６０／７４７，２２１で公開されたものと同じ主題が含まれていると考えられる。【００２２】ＵＳＢ（Ｕｎｉｖｅｒｓａｌ  Ｓｅｒ���ａｌ  Ｂｕｓ）フラッシュメモリ・ドライブ（ＵＳＢスティック・ドライブともいう）は、コンピュータの分野ではよく知られており、コンピュータ・データ・ファイルの保存に使用されている。ＵＳＢフラッシュメモリ・ドライブには、メモリ・チップ、およびその他の電子部品などのデータ記憶部品が含まれている。ＵＳＢフラッシュメモリ・ドライブが使用されているとき、データ記憶部品および／またはその他の電子部品は、熱を発生する。このようにして、本発明のこの実施例に従って、図１４および図１５では、ＵＳＢフラッシュメモリ・ドライブ２００が作動しているときに、フレグランスまたはアロマを放出するＵＳＢフラッシュメモリ・ドライブ２００が示されている。ＵＳＢフラッシュメモリ・ドライブ２００にはハウジング２０２があり、これは上部２０４と下部２０６から成る。ＵＳＢフラッシュメモリ・ドライブ２００は、さらに上部２０４と下部２０６の間にある回路サポート・メンバ２０８を含む。メモリ・チップ、集積回路、あるいはその他の電子部品などの電気部品は、回路サポート・メンバ２０８に取り付けられている。ＵＳＢコネクタ・セクション２０９は、回路サポート・メンバ２０８に電気的に接続されている。ＵＳＢコネクタ・セクション２０９は、コンピュータまたはその他のデータ転送デバイスのＵＳＢポートに接続または挿入されるように設定されている。ハウジング２０２には、さらにＵＳＢコネクタ・セクション２０９をカバーするカバー・セクション２１０（透視図で図示）を含む。カバー・セクション２１０は、取り外し可能である。ハウジング２０２には、上部２０４内にある排出口２１３がある。排出口２１３の用途は、次の明細で論じる。【００２３】図１６では、ＵＳＢフラッシュメモリ・ドライブ２００の断面図が示されている。ＵＳＢフラッシュメモリ・ドライブ２００には、さらに電子部品２１４が含まれており、これは回路サポート・ボード２０８に電気的に接続されており、データ記憶回路の一部であり、データ記憶回路が作動した結果、熱を発生する。電子部品２１４は、たとえば集積回路、レジスタなどデータ記憶回路と関連のある電子部品であれば何でもよい。本発明の代替実施例では、電子部品２１４は、熱を発生する目的で特別に回路サポート・ボード２０８に加えられており、ＵＳＢフラッシュメモリ・ドライブ２００のデータ記憶機能とは関連がない。発明に従って、ＵＳＢフラッシュメモリ・ドライブ２００には、さらに熱が加えられたときにフレグランス、芳香あるいはアロマを放出するデバイス２１６を含む。デバイス２１６は、いくつかの構成のうちのいずれか一つの構成を取ることができる。たとえば、デバイス２１６は、熱が加えられると、希望のフレグランス、芳香あるいはアロマを放出する液体あるいは固体の物質を含むあるいは保持するように作ることができる。液状物質の例には、オイルと香水が含まれる。別の例では、デバイス２１６は、熱が加えられると希望のフレグランス、芳香あるいはアロマを放出する物資でコーティングされている。さらに別の例では、デバイス２１６は、熱が加えられると希望のフレグランス、芳香あるいはアロマを放出する液状物質に浸たり、あるいは染みこませた吸湿性メン��から成る。デバイス２１６のその他の構成も可能である。デバイス２１６は、たとえば香水、フルーツ、フラワーなどのどんな種類のフレグランス、アロマあるいは芳香でも放出するように構成することができる。デバイス２１６は、サポート・メンバ２１８に取り付けられている。ある実施例では、サポート・メンバ２１８は、ハウジング２０２の内壁２２０に取り付けられており、排出口２１３に隣接している。サポート・メンバ２１８は、デバイス２１６が電子部品２１４の上のごく近くに位置することができるように形作られ、構成される。ＵＳＢフラッシュ・ドライブ２００がＵＳＢポートにプラグで接続されると、電力が電子部品２１４に供給され、これがそれに反応して熱２２２を発生する。熱２２２によりデバイス２１６がフレグランス、芳香あるいはアロマ２２４を放出し、それが排出口２１３を通り抜ける。推奨実施例では、ハウジング２０２には、さらに排出口２２５がある。排出口２２５は、ハウジング２０２の下部２０６に位置している。排出口２２５により、気流がハウジング２０２の内部に流入し、その中の電子部品のオーバーヒートを防ぐことができる。【００２４】ハウジング２０２は、どのような種類の適切な形状およびデザインにも構成できる。一例が、図１４に示されている。別の例は、図１８に示されている。ＵＳＢフラッシュメモリ・ドライブ３００は、丸みを帯びた末端部分３０４があり、先細りの形状をしたハウジング３０２から成る。ハウジング３０２には、ＵＳＢコネクタ・セクションをカバーするカバー・セクション３０６がある（図示されていないが、一般的に図１５に示されたＵＳＢコネクタ・セクション２０９と同じ）。ハウジング３０２には、スタイリッシュな排出口セクション３０８があり、そこからフレグランス、芳香あるいはアロマがハウジングの内部から放出される。【００２５】図１７は、本発明の代替実施例に従ったＵＳＢフラッシュメモリ・ドライブ４００の部分的な断面図を示している。ＵＳＢフラッシュ・ドライブ４００は、上部４０４と下部４０６があるハウジング４０２から成る。ハウジング４０２には、上部４０４に排出口４０７がある。排出口４０７は、排出口２１３と似ている（図１４および１５を参照）。ＵＳＢフラッシュメモリ・ドライブ４００には、さらに回路サポート・メンバ４０８と熱が加えられるとフレグランス、芳香あるいはアロマを放出するデバイス４０９がある。この実施例に従って、デバイス４０９はサポート・メンバ４１０に接続されており、それが回路サポート・メンバ４０８に接続されている。ＵＳＢフラッシュメモリ・ドライブ４００は、さらに回路サポート・メンバ４０８に電気的に接続されており、電子部品２１４と同様の方式で熱４１４を発生する電子部品４１２から成る（図１６を参照）。このようにして、電子部品４１２は、電気部品４１２に電力が供給されると、熱４１４を発生する。サポート・メンバ４１０は、デバイス４０９が発熱電子部品４１２の上の近くに位置するように形作られ、構成されている。電子部品４１２によって発生した熱４１４により、デバイス４０９はフレグランス、芳香あるいはアロマ４１６を放出する。フレグランス、芳香あるいはアロマ４１６は、排出口��０７によりハウジング４０２の内部から出て行く。推奨実施例では、ハウジング４０２には、さらに排出口４１７がある。排出口４１７は、ハウジング４０２の下部４０６に位置する。排出口４１７は、気流がハウジング４０２の内部に入るようにして、中にある電子部品のオーバーヒートを防ぐ。【００２６】図１９〜３０には、本発明の別の実施例に従ったフレグランス発生装置５００が示されている。この実施例では、フレグランス発生装置５００は、フラッシュメモリ・ドライブとよく似た外観をしている。装置５００は一般にケース５０２から成り、それには上部５０４と下部５０６がある。下部５０６には排出口５０７があり（図２４を参照）、ここから空気がケース５０２の内部５２５に流入することができる。上部５０２には、凹部５０９がある。装置５００には、さらに換気口カバー５１０がある。換気口カバー５１０には、部分５１０Ａがある。換気口カバー５１０は、スライド可能な形でケース５０２に取り付けられている。厳密に言えば、換気口カバー５１０は、凹部５０９の内部で双方向にスライド可能である。上部５０２には、凹部５０９のどちらかの側にあるトラック５１２および５１４がある。換気口カバー５１０は、スライド可能な形でトラック５１２および５１４とかみ合っている。換気口カバー５１０には、排出口５１６がある。排出口５１６の用途は、次の明細で論じる。  排出口カバー５１０には、ユーザーの指との摩擦面を作る複数個の突起５１８がある。このようにして、突起５１８は、開閉いずれかのポジションへの双方向に換気口カバー５１０をスライドするのを容易にする。装置５００には、さらにＵＳＢコネクタ５２０があり、これはコンピュータまたはコンピュータの周辺機器、あるいはＵＳＢポートを使用するその他の電子機器のＵＳＢポート（図示せず）にプラグで接続するように作られている（図２１および２３を参照）。ＵＳＢコネクタ５２０には、プリント基板部分５２２がある（図２７および２８を参照）。排出口カバー５１０の部分５１０Ａは、換気口カバー５１０が「閉」ポジションにあるときに、ＵＳＢコネクタ５２０を覆う。【００２７】図２１では、ケース５０２には内部５２５と内部５２５と連絡する開口部５３０がある。装置５００は、さらにセクション５４２およびセクション５４４のあるカートリッジ・ケース５４０から成る。フレグランス・メンバ５５０は、セクション５４４に取り付けられている。フレグランス・メンバ５５０は、熱が加えられると希望のフレグランス、芳香あるいはアロマを放出する。たとえば、ある実施例では、フレグランス・メンバ５５０は、熱が加えられると希望のフレグランス、芳香あるいはアロマを放出する液状物質に浸したかあるいは染みこませた吸湿性  メンバとして作られることがある。液状物質の例には、オイルおよび香水が含まれる。別の実施例では、フレグランス・メンバ５５０は、熱が加えられると希望のフレグランス、芳香あるいはアロマを放出する物質でコーティングされたデバイスから成る。フレグランス・メンバ５５０は、たとえば香水、フルーツ、フラワーなどのどんな種類のフレグランス、アロマあるいは芳香でも放出するように作ることができる。ある実施例では、フレグ���ンス・メンバ５５０は、一般に正方形をしている。しかし、フレグランス・メンバ５５０は、他の形にすることもできる。ケース５４０のセクション５４２には、ストラップやチェーンを差し込める大きさの小穴５５２があり、ユーザーが首にかけられるようになっている。開口部５３０は、カートリッジ・ケース５４０のセクション５４４を受けられる大きさである。ケース５０２の内部５２５は、フレグランス・メンバ５５０およびカートリッジ・ケース５４０のセクション５４４をすべて受けられるサイズである。こうすることにより、カートリッジ・ケース５４０は、セクション５４４を開口部５３０に差し込んで、セクション５４４をスライドさせ、フレグランス・メンバ５５０を内部５２５に入れることにより、ケース５０２に取り外せる形で固定することができる。ケース５０２は、カートリッジ・ケース５４０が内部５２５から滑り落ちないように、ケース５０２の内部構造とカートリッジ・ケース５４０のセクション５４４の間にわずかな摩擦が生ずるような構造に作られている。ユーザーは、カートリッジ・ケース５４０を取り外して、それを新鮮なフレグランス・メンバ５５０を含む他のカートリッジ・ケース５４０と交換することができる。【００２８】図２５および図２６では、フレグランス発生装置５００は、さらに内部５２５内にある発熱体５６０を含む。発熱体５６０は、電気が供給された時に熱を発生する電気部品によって機能を発揮する。ある実施例では、発熱体５６０は、ＵＳＢコネクタ５２０のプリント基板部分５２２に電気的に接続された導電性リード線またはワイヤ５６２のあるレジスタである。導電性リード線５６２には、レジスタ５６０をフレグランス・メンバ５５０に近接させておく程度の剛性がある。ＵＳＢコネクタ５２０がコンピュータまたはコンピュータの周辺機器のＵＳＢポート（図示せず）にプラグで接続されると、電力がプリント基板部分５２２に提供される。その結果、電力がレジスタ５６０に供給され、それによりレジスタ５６０が熱を発生する。ケース５０２の上部５０４には排出口５７０があってフレグランス・メンバ５５０と近接しており、一直線に並んでいる。図１９、２０、２５および２６に示されるように換気口カバー５１０が「閉」ポジションにスライドされると、換気口カバー５１０の部分５１０Ａが完全にプリント基板部分５２２を覆い、換気口カバー５１０の他の部分は排出口５７０を覆う。換気口カバー５１０が図２７〜３０に示されるように、「開」ポジションにスライドされると、換気口カバー５１０の排出口５１６は、換気口５７０の上になり、それと一直線に並ぶような位置にくる。このようにして、フレグランス・メンバ５５０がコンピュータまたは周辺機器のＵＳＢポートにプラグで接続されて、換気口カバー５１０が「開」ポジションにスライドされると、電力がレジスタ５６０に供給され、それによってレジスタ５６０が熱を発生する。この熱により、フレグランス・メンバ５５０がフレグランスを放出し、それが排出口５７０および５１６を通過して、周辺環境に流れ出る。【００２９】図３１〜４０には、本発明のさらなる実施例に従ったフレグランス発生装置６００が示されている。この特別な実施例では、装���６００は、宝飾品のような形状をしている。しかし、装置６００は、他の形状にすることもできると理解される。装置６００は、上部６０２と下部６０４のあるケース６０１から成る。上部６０２は、回転式ジョイント６０６で下部６０４に回転可能な形で取り付けられている（図３１および３５を参照）。上部６０２には換気口６０８があり、それは複数の異なった形の開口部６０９から成る。下部６０４には換気口６１０がある（図３３を参照）。下部６０４には上部６１２も含まれる（図３５、３６および３８を参照）。上部６１２には凹部６１３があり、その用途は次の明細で論じる。  装置６００には、さらに下部６０４に取り付けられたチェーンまたはストラップ６１６を取り付けるように作られたストラップまたはチェーン・ループ６１４がある。ユーザーは、チェーンまたはストラップ６１６を首にかけることができる。推奨実施例では、上部６０２は、図３５、３６および３７Ａに示されるように下部６０４に対して３６０［度］回転することができる。【００３０】図３４〜３７Ａでは、装置６００は、さらにジョイントまたはピン６２２で下部６０４に旋回可能な形で取り付けられているＵＳＢコネクタ６２０を含む。ＵＳＢコネクタ６２０は、コンピュータまたは周辺機器のＵＳＢポート（図示せず）にプラグで接続するように作られている。ＵＳＢコネクタ６２０には、プリント基板部分６２４がある。ＵＳＢコネクタ６２０は凹部６１３内で旋回し、ユーザーが図３５に示されるようにＵＳＢコネクタ６２０を上方に旋回させたり、図３６に示されるように下方に旋回させたりすることができるようにする。図３５に示されるようにＵＳＢコネクタ６２０が上方に旋回されると、ユーザーは図３１および３２に示されるようにＵＳＢコネクタ６２０を覆うために上部６０２を下方に旋回することができる。ジョイントまたはピン６２２は導電性で、ＵＳＢコネクタ６２０のプリント基板部分６２４に電気的に接続されている。装置６００はさらに発熱体６３０を含み、これは電力を供給されると熱を発生する。発熱体６３０は、電力が供給されると熱を発生するようなデバイスまたは電気部品であれば、どのようなものでもよい。ある実施例では、発熱体６３０はレジスタである。発熱体６３０は、単数または複数の導電性リード線６３２を介してジョイントまたはピン６２２に電気的に接続されている。ＵＳＢコネクタ６２０がＵＳＢポートにプラグで接続されると、電力がプリント基板部分６２４、ピンまたはジョイント６２２、リード線６３２、ひいては発熱体６３０に供給される。その結果、発熱体６３０が熱を発生する。この特徴は、次の明細でさらに論じる。【００３１】図３６、３７Ａ、３７Ｂおよび４０では、下部６０４にはカートリッジ６４２を受けるサイズの開口部６４０がある。下部６０４には、排出口として機能する開口部６４４もある。上部６１２には、開口部６４０と排出口６４４の間に位置する部分６４５がある。カートリッジ６４２は、フレーム・メンバ６４６とフレーム・メンバ６４６に取り付けられているフレグランス・メンバ６４８がある。フレグランス・メンバ６４８は、熱が供給されるとフレグランスまたはアロマを放出する。フレグランス・メンバ６４��は、前述の明細に記載されているフレグランス・メンバ５５０（図２１を参照）を作るのに使用されたのと同じ材料で作ることができる。開口部６４０により、カートリッジ６４２は下部６０４内に取り外し可能な形で配置することができる。カートリッジ６４２が下部６０４内に位置する場合は、フレーム・メンバ６４６は目に見えるし、開口部６４０を通して到達も可能で、フレグランス・メンバ６４８は開口部６４４を通して見ることができる。発熱体６３０は下部６０４内のあらかじめ定められたポジションに位置しており、カートリッジ６４２が下部６０４内にあるときに、フレグランス・メンバ６４８が発熱体６３０に隣接するようになっている（図３４および４０を参照）。【００３２】装置６００を使用するには、ユーザーは、まず上部６０２を図３５に示されたポジションに旋回する。それから、ユーザーはＵＳＢコネクタ６２０を図３６の矢印６５０で示された方向に旋回する。次に、ユーザーは上部６０２を元の位置に戻るように旋回させる（図３８および３９を参照）。ユーザーは、ＵＳＢコネクタ６２０をコンピュータまたは周辺機器のＵＳＢポートにプラグで接続する準備ができる。ユーザーがＵＳＢコネクタ６２０を作動中のデバイスの対応するＵＳＢポートにプラグで接続すると、電力がプリント基板部分６２４に供給される。その結果、電力が発熱体６３０に供給される。この電力に反応して、発熱体６３０が熱を発生し、それによりフレグランス・メンバ６４８がフレグランスまたはアロマを放出し、それが開口部６４４を通過する。前述の明細で述べたように、開口部６４４は排出口として機能する。【００３３】ユーザーがＵＳＢコネクタ６２０をコンピュータまたは周辺機器のＵＳＢポートから取り外すと、レジスタ６３０に供給されていた電力が中断される。それから、ユーザーは上部６０２を図３５および図３６に示されたポジションに旋回する。次に、ユーザーは、ＵＳＢコネクタ６２０を逆の矢印６５０の方向に旋回し（図３６を参照）、ＵＳＢコネクタ６２０が図３５に示された位置にくるようにする。それから、ユーザーは、ＵＳＢコネクタ６２０をカバーするために上部６０２を図３１および３２に示された位置にくるように旋回する。【００３４】フレグランス・メンバ６４８がもはや希望のレベルのフレグランスまたはアロマを放出しなくなったら、ユーザーはカートリッジ６４２を新鮮なフレグランス・メンバの付いた新しいカートリッジと交換することができる。【００３５】図４１、４４および４６には、本発明のさらなる実施例に従ったフレグランス発生装置７００が示されている。フレグランス発生装置７００は、上部７０２と下部７０６のあるケース７０１から成る。装置７００は、さらにプリント基板部分７２２のあるＵＳＢコネクタ７２０から成る。ＵＳＢコネクタ７２０は、前述の明細で述べたＵＳＢコネクタ５２０と同じ方法で機能する（図２７を参照）。装置７００には、ユーザーが装置７００を首にかけたり、装置７００をフックなどにかけたりすることができるようにストラップやチェーンを通すことができる貫通開口部７５２が付いている。装置７００にはＬＥＤ（発光ダイオード）７９５があり、これはプリント基板部分７２２と電��的に接続されている。ＵＳＢコネクタ７２０が作動しているコンピュータまたは周辺機器のＵＳＢポート（図示せず）に接続されると、ＬＥＤ７９５は明るくなる。【００３６】装置７００には、さらにケース７０１の上部７０２に旋回可能な形で取り付けられているドア７９１がある。ドア７９１には、スプリング・ロック７９２があり、これがドア７９１を「閉」ポジションで固定する。ドア７９１の用途は、次の明細で説明される。装置７００には、さらに回転式メンバ７１０と排出口７１８から成る通気システムがある。回転式メンバ７１０はケース７０１内にあり、２つのポジションの間で回転するように作られている。回転式メンバ７１０の一部は、ケース７０１の上側に露出しており（図４２を参照）、回転式メンバ７１０の一部はケース７０１の下側に露出している（図４５を参照）。回転式メンバ７１０には排出口７１６があり、したがって排出口７１６はメンバ７１０と一緒に回転する。排出口７１８は、ケース７０１の上部７０２にある。排出口７１８は、ケース７０１の内部７７０と連絡している。回転式メンバ７１０は、排出口７１６が排出口７１８と一直線に並ぶ第一ポジションと、排出口７１６が排出口７１８と一直線に並ばないので排出口７１８が閉鎖される第二ポジションの間で回転する。【００３７】図４７〜４９では、装置７００には、フレグランス・ボトル７４０を受ける大きさの内部７７０がある。フレグランス・ボトル７４０にはフレグランス・メンバ７５０があり、これがフレグランス・ボトル７４０から伸びている。フレグランス・ボトル７４０には、希望のフレグランスを持つ香水またはオイルなどの液体が含まれる。フレグランス・メンバ７５０は、フレグランス・ボトル７４０の液体を吸収する吸湿材で作られている。図４８および図４９に示されているように、装置７００は、さらに発熱体７６０を含む。発熱体７６０は、電力を供給されると熱を発生するデバイスまたは電気部品として作ることができる。ある実施例では、発熱体７６０はレジスタである。発熱体７６０は、単数または複数の導電性リード線７６２によってＵＳＢコネクタ７２０のプリント基板部分７２２に電気的に接続されている。導電性リード線７６２には一定の剛性があり、それにより発熱体７６０はフレグランス・メンバ７５０に隣接した位置をとることができる。フレグランス・ボトル７４０は装置７００の内部７７０に位置しており（図４８を参照）、フレグランス・メンバ７５０は発熱体７６０に接触する。フレグランス・ボトル７４０が内部７７０に位置している場合は、ユーザーはドア７９１を閉じることができる。ドア７９１にはストッパ・メンバ７９３があり、これはドア７９１が閉じられるとフレグランス・ボトル７４０に隣接し（図４８を参照）、そうすることによりフレグランス・ボトル７４０が動くのを防ぐ。【００３８】図４８および４９では、スプリング・ロック７９２は、さらに弾力性のある一般に「Ｖ」字型をしたメンバ７９２Ａを含み、突起７９２Ｂが一般に「Ｖ」字型をしたメンバ７９２Ａに取り付けられている。スプリング・ロック７９２を操作するために、ユーザーは先端部７９２Ｃを矢印７９９で示された方向に押して、それからドア７９１を下げ��、突起７９２Ｂが上部７０２の延長リップ７０５の下の位置にくるようにする。突起７９２Ｂが延長リップ７０５の下にきたら、ユーザーが先端部７９２Ｃを離して、「Ｖ」字型をしたメンバ７９２Ａが通常のポジションまで広がるようにすると、それによって突起７９２Ｂが延長リップ７０５の下の位置に保持され、突起７９２Ｂが延長リップ７０５に隣接するようになる。その結果、ユーザーがドア７９１を再度開こうとするまで、ドア７９１は閉じたままになる。ドア７９１を開くためには、ユーザーは先端部７９２Ｃの上を押して、「Ｖ」字型をしたメンバ７９２Ａを圧縮して、突起７９２Ｂが延長リップ７０５の下から出てくるようにする。それから、ユーザーはドア７９１を上方に持ち上げる。図４５および４６に示されるように、装置７００には、さらにウインドウとして機能する開口部７９０がある。開口部７９０により、ユーザーはドア７９１を開くことなく、ケース７０１の内部７７０を見ることができる。【００３９】図４８および４９では、装置７００を使用するために、ユーザーは回転式メンバ７１０を回転させ、排出口７１６が排出口７１８と一直線に並ぶようにする。次に、ユーザーはＵＳＢコネクタ７２０を作動しているコンピュータまたは周辺機器のＵＳＢポート（図示せず）にプラグで接続し、電力がプリント基板部分７２２、ひいては発熱体７６０に供給されるようにする。その結果、発熱体７６０は熱を発生し、それによりフレグランス・メンバ７５０がフレグランス・ボトル７４０内の液体に関連したフレグランスまたは芳香を放出する。フレグランスまたは芳香は、排出口７１６および７１８を通ってケース７０１から出て行く。フレグランス・ボトル７４０内のフレグランス液がすべて使用されると、ユーザーはドア７９１を開いて、フレグランス・ボトル７４０を新しいフレグランス・ボトルと交換することができる。【００４０】ケース７０１およびドア７９１は、たとえばプラスチックなど、適切な素材であればどのような種類の素材から製造してもよい。【００４１】前述の明細に記載された本発明の装置の実施例はすべて、たとえばプラスチック、樹脂、複合材料、ボール紙、木材などの適切な材料であれば、どのような素材からでも作成することができる。【００４２】本発明の推奨実施例の前述の明細は、例証と説明目的のみで公開された。これは網羅的であることも、開示された正確な形態に本発明を制限することも意図していない。そして、明らかに上記教示の観点から多くの変更点およびバリエーションが可能である。このような技術に熟練した人物にとって明白である可能性のある変更およびバリエーションは、付随の特許請求により定義されるこの発明の範囲内に含まれるものとする。
【図面の簡単な説明】
【００４３】
【図１】図１は、本発明の一つの実施例に従ったフレグランス発生ＵＳＢペンダント・デバイスの平面図である；
【図２】図２は、図１のライン２−２に沿った端面図である；
【図３】図３は、図１のフレグランス発生ＵＳＢペンダント・デバイスの側面図である；
【図４】図４は、図１のフレグランス発生ＵＳＢペンダント・デバイスの底面図である；
【図５】図５は、図１のフレグランス発生ＵＳＢ装置の遠近法による分解立体図である；
【図６】図６図５は、図１のフレグランス発生ＵＳＢペンダント・デバイスの内部から引き出される保護用タブの芳香を示す分解立体図である；
【図７】図７は、保護用タブを取り外した後の図１のフレグランス発生ＵＳＢペンダント・デバイスの斜視図である；
【図８】図８は、図１のフレグランス発生ＵＳＢペンダント・デバイスの断面図である；
【図９】図９は、本発明の別の実施例に従ったフレグランス発生ＵＳＢペンダント・デバイスの斜視図である；
【図１０】図１０は、図９のフレグランス発生ＵＳＢペンダント・デバイスの平面図である；
【図１１】図１１は、図９のフレグランス発生ＵＳＢペンダント・デバイスの底面図である；
【図１２】図１２は、図１０のライン１２−１２に沿った側面図である；
【図１３】図１３は、図９のフレグランス発生ＵＳＢペンダント・デバイスの断面図である。
【図１４】図１４は、本発明の別の実施例に従ったフレグランス発生装置の斜視図であり、フレグランス発生装置がＵＳＢフラッシュメモリ・ドライブとして作られている；
【図１５】図１５は、図１４のＵＳＢフラッシュメモリ・ドライブの側面図である；
【図１６】図１６は、図１４のＵＳＢフラッシュメモリ・ドライブの部分的な断面図である；
【図１７】図１７は、ＵＳＢフラッシュメモリ・ドライブの代替実施例の部分的断面図である；
【図１８】図１８は、ＵＳＢフラッシュメモリ・ドライブのさらなる実施例の上面図である；
【図１９】図１９は、本発明の別の実施例に従ったフレグランス発生装置の斜視図であり、その図はフレグランス発生装置の換気口カバーが「閉」ポジションにある状態を示している；
【図２０】図２０は、図１９のフレグランス発生装置の平面図である；
【図２１】図２１は、図１９のフレグランス発生装置の遠近法による分解立体図である；
【図２２】図２２は、もう一つの分解組立図で示した図１９のフレグランス発生装置の上面図である；
【図２３】図２３は、図１９のフレグランス発生装置のさらなる分解立体図である；
【図２４】図２４は、図１９のフレグランス発生装置の底面図である；
【図２５】図２５は、図１９のフレグランス発生装置の立面による側面図であり、その図は空気穴カバーが「閉」ポジションにある状態を示している；
【図２６】図２６は、図１９のフレグランス発生装置の立面による断面図であり、その図は空気穴カバーが「閉」ポジションにある状態を示している；
【図２７】図２７は、図１９のフレグランス発生装置の斜視図であり、その図は空気穴カバーが「開」ポジションにある状態を示している；
【図２８】図２８は、図２７に示されたフレグランス発生装置の平面図であり、その図は空気穴カバーが「開」ポジションにある状態を示している；
【図２９】図２９は、図２８に示されたフレグランス発生装置の立面による側面図であり、その図は空気穴カバーが「開」ポジションにある状態を示している；
【図３０】図３０は、図２８のライン３０−３０に沿った断面図である；
【図３１】図３１は、本発明のさらなる実施例に従ったフレグランス発生装置の上面図である；
【図３２】図３２は、図３１のフレグランス発生装置の立面による側面図である；
【図３３】図３３は、図３１のフレグランス発生装置の底面図である；
【図３４】図３４は、図３１のライン３４−３４に沿った断面図である；
【図３５】図３５は、図３１のフレグランス発生装置の上面図であり、その図は「開」ポジションに旋回したカバーを示している；
【図３６】図３６は、図３１のフレグランス発生装置の上面図であり、その図はカバーが旋回されて「開」ポジションにあり、ＵＳＢコネクタが旋回されて露出された位置にある状態を示している；
【図３７Ａ】図３７Ａは、図３１のフレグランス発生装置およびフレグランス発生装置のケース内に取り外し可能な形で配置された取外し可能なカートリッジの前面図である；
【図３７Ｂ】図３７Ｂは、図３７Ａに示されたカートリッジの立面による側面図である；
【図３８】図３８は、図３１のフレグランス発生装置の上面図であり、その図はカバーが「閉」ポジションにあり、ＵＳＢコネクタが旋回されて露出された位置にある状態を示している；
【図３９】図３９は、図３８に示されたフレグランス発生装置の立面による側面図である；
【図４０】図４０は、図３８のライン４０−４０に沿った断面図である；そして
【図４１】図４１は、本発明の別の実施例に従ったフレグランス発生装置の斜視図である；
【図４２】図４２は、図４１のフレグランス発生装置の平面図である；
【図４３】図４３は、図４１のフレグランス発生装置の立面による側面図である；
【図４４】図４４は、図４２のライン４４−４４に沿った図である；
【図４５】図４５は図４１のフレグランス発生装置の底面図である；
【図４６】図４６は、図４５のライン４６−４６に沿った立面による側面図である；
【図４７】図４７は、図４１のフレグランス発生装置の遠近法による分解立体図である；
【図４８】図４８は、図４１のフレグランス発生装置の断面図ある；そして
【図４９】図４９は、図４１のフレグランス発生装置のもう一つの断面図であり、その図はフレグランス発生装置のドアが「開」ポジションにある状態を示している。
【図１】
2009537287.tif 000003
【図２】
2009537287.tif 000004
【図３】
2009537287.tif 000005
【図４】
2009537287.tif 000006
【図５】
2009537287.tif 000007
【図６】
2009537287.tif 000008
【図７】
2009537287.tif 000009
【図８】
2009537287.tif 000010
【図９】
2009537287.tif 000011
【図１０】
2009537287.tif 000012
【図１１】
2009537287.tif 000013
【図１２】
2009537287.tif 000014
【図１３】
2009537287.tif 000015
【図１４】
2009537287.tif 000016
【図１５】
2009537287.tif 000017
【図１６】
2009537287.tif 000018
【図１７】
2009537287.tif 000019
【図１８】
2009537287.tif 000020
【図１９】
2009537287.tif 000021
【図２０】
2009537287.tif 000022
【図２１】
2009537287.tif 000023
【図２２】
2009537287.tif 000024
【図２３】
2009537287.tif 000025
【図２４】
2009537287.tif 000026
【図２５】
2009537287.tif 000027
【図２６】
2009537287.tif 000028
【図２７】
2009537287.tif 000029
【図２８】
2009537287.tif 000030
【図２９】
2009537287.tif 000031
【図３０】
2009537287.tif 000032
【図３１】
2009537287.tif 000033
【図３２】
2009537287.tif 000034
【図３３】
2009537287.tif 000035
【図３４】
2009537287.tif 000036
【図３５】
2009537287.tif 000037
【図３６】
2009537287.tif 000038
【図３７Ａ】
2009537287.tif 000039
【図３７Ｂ】
2009537287.tif 000040
【図３８】
2009537287.tif 000041
【図３９】
2009537287.tif 000042
【図４０】
2009537287.tif 000043
【図４１】
2009537287.tif 000044
【図４２】
2009537287.tif 000045
【図４３】
2009537287.tif 000046
【図４４】
2009537287.tif 000047
【図４５】
2009537287.tif 000048
【図４６】
2009537287.tif 000049
【図４７】
2009537287.tif 000050
【図４８】
2009537287.tif 000051
【図４９】
2009537287.tif 000052
【国際調査報告】
2009537287.tif 000053
2009537287.tif 000054
2009537287.tif 000055